(57)【要約】【課題】三次元曲面を持った各種乗物の外装パーツ表面に再帰反射フィルム又は再帰反射シートを適用して各種乗物の視認性を高めることのできる反射加飾成形体を提供する。【解決手段】少なくともその一部に三次元曲面を有する各種乗物の外装パーツ５を基材とし、当該基材の表面に再帰反射フィルム又は再帰反射シート１を、その再帰反射性能を阻害しないように均一に貼付加飾する。各種乗物がオートバイの場合、基材を前・後輪フェンダー部、フロント・アンダー・リアカウル部、サイドカバー部、ガソリンタンク、チェーンカバー部、ミラー背面部、ライトカバー部のいずれか１つに設定する。【選択図】図１
0003169699.tif 000002
【実用新案登録請求の範囲】
【請求項１】
少なくともその一部に三次元曲面を有する各種乗物の外装パーツを基材とし、当該基材の表面に再帰反射フィルム又は再帰反射シートを、その再帰反射性能を阻害しないように均一に貼付加飾してなることを特徴とする反射加飾成形体。
【請求項２】
再帰反射フィルム又は再帰反射シートは、その多層積層構造中にガラスビーズ層を有していることを特徴とする請求項１に記載の反射加飾成形体。
【請求項３】
各種乗物が２輪又は３輪の自転車であり、基材が前・後輪フェンダー部、チェーンカバー部、タイヤホイールリム部、ペダルアーム部、ミラー背面部のいずれか１つである請求項１または請求項２に記載の反射加飾成形体。
【請求項４】
各種乗物がスクーターであり、基材が前・後輪フェンダー部、フロント・サイド・アンダー・リアカウル部、ハンドル・メーターカバー部、ミラー背面部のいずれか１つである請求項１または請求項２に記載の反射加飾成形体。
【請求項５】
各種乗物が３輪又は４輪のバギィ車であり、基材が前・後輪フェンダー部、フロント・サイド・アンダー・リアカウル部、ミラー背面部、ライトカバー部のいずれか１つである請求項１または請求項２に記載の反射加飾成形体。
【請求項６】
各種乗物がオートバイ又はスノーバイクであり、基材が前・後輪フェンダー部、フロント・アンダー・リアカウル部、サイドカバー部、ガソリンタンク、チェーンカバー部、ミラー背面部、ライトカバー部のいずれか１つである請求項１または請求項２に記載の反射加飾成形体。
【請求項７】
各種乗物が水上バイクであり、基材がフロントボンネットカバー部、サイドカバー部、リアカバー部、ハンドル・メーターカバー部、前・側面・後部バンパー部のいずれか１つである請求項１または請求項２に記載の反射加飾成形体。
【請求項８】
各種乗物が自動車であり、基材がフロントボンネットカバー部、リアトランクドア部、フロント・リアフェンダー部、乗車扉部、ピラー部、フロントグリル部、フロント・リアバンパー部、フロント・サイド・リアスポイラー部、モール部のいずれか１つである請求項１または請求項２に記載の反射加飾成形体。
【考案の詳細な説明】
【技術分野】
【０００１】
本考案は加飾成形体に係り、特に三次元曲面を持った各種乗物の外装パーツ表面に再帰反射フィルムないし再帰反射シートを貼着してなる反射加飾成形体に関する。
【背景技術】
【０００２】
反射光を光源に向けて再帰反射させる機能を有する再帰反射フィルム又は再帰反射シートは、夜間などにおける優れた視認性が着目され、各種道路標識類に適用されて交通安全に寄与している。たとえば、下記の特許文献１には、透明ガラス球を用いた再帰反射シートを道路標識類に貼付して道路交通安全、夜間の視認性向上を図ることが記載されている。
【先行技術文献】
【特許文献】
【０００３】
【特許文献１】特開２０００−１７１６２４号公報
【考案の概要】
【考案が解決しようとする課題】
【０００４】
ところで、ポリ塩化ビニル樹脂等熱可塑性合成樹脂をベースとした再帰反射フィルム又は再帰反射シートは、上記したように道路標識のような平面上に貼着させて使用するのが一般的であり、三次元曲面を持った各種乗物の外装パーツに貼着加飾を施すことは行なわれてこなかった。
【０００５】
三次元曲面を持った各種乗物の外装パーツに、再帰反射フィルムないし再帰反射シートを貼着すれば、立体曲面に入射角度を異にした複数の光源からの光が当たったとしても、それぞれ確実に光源方向に再帰反射するので視認性が一層改善され、交通安全にも大きな効果を発現できる。
【０００６】
そこで、本考案は、三次元曲面を持った各種乗物の外装パーツ表面に再帰反射フィルム又は再帰反射シートを適用して各種乗物の視認性を高めることのできる反射加飾成形体を提供することを目的とするものである。
【課題を解決するための手段】
【０００７】
上記課題を解決するための本考案の構成を詳述すれば、請求項１に係る考案は、少なくともその一部に三次元曲面を有する各種乗物の外装パーツを基材とし、当該基材の表面に再帰反射フィルム又は再帰反射シートを、その再帰反射性能を阻害しないように均一に貼付加飾してなることを特徴とする反射加飾成形体である。
【０００８】
請求項２に係る考案は、再帰反射フィルム又は再帰反射シートは、その多層積層構造中にガラスビーズ層を有していることを特徴とする請求項１に記載の反射加飾成形体である。
【０００９】
請求項３に係る考案は、各種乗物が２輪又は３輪の自転車であり、基材が前・後輪フェンダー部、チェーンカバー部、タイヤホイールリム部、ペダルアーム部、ミラー背面部のいずれか１つである請求項１または請求項２に記載の反射加飾成形体である。
【００１０】
請求項４に係る考案は、各種乗物がスクーターであり、基材が前・後輪フェンダー部、フロント・サイド・アンダー・リアカウル部、ハンドル・メーターカバー部、ミラー背面部のいずれか１つである請求項１または請求項２に記載の反射加飾成形体である。
【００１１】
請求項５に係る考案は、各種乗物が３輪又は４輪のバギィ車であり、基材が前・後輪フェンダー部、フロント・サイド・アンダー・リアカウル部、ミラー背面部、ライトカバー部のいずれか１つである請求項１または請求項２に記載の反射加飾成形体である。
【００１２】
請求項６に係る考案は、各種乗物がオートバイ又はスノーバイクであり、基材が前・後輪フェンダー部、フロント・アンダー・リアカウル部、サイドカバー部、ガソリンタンク部、チェーンカバー部、ミラー背面部、ライトカバー部のいずれか１つである請求項１または請求項２に記載の反射加飾成形体である。
【００１３】
請求項７に係る考案は、各種乗物が水上バイクであり、基材がフロントボンネットカバー部、サイドカバー部、リアカバー部、ハンドル・メーターカバー部、前面・側面・後面バンパー部のいずれか１つである請求項１または請求項２に記載の反射加飾成形体である。
【００１４】
請求項８に係る考案は、各種乗物が自動車であり、基材がフロントボンネットカバー部、リアトランクドア部、フロント・リアフェンダー部、乗車扉部、ピラー部、フロントグリル部、フロント・リアバンパー部、フロント・サイド・リアスポイラー部、モール部のいずれか１つである請求項１に記載の反射加飾成形体である。
【００１５】
ポリ塩化ビニル樹脂等熱可塑性合成樹脂をベースとした再帰反射フィルムないし再帰反射シートを三次元曲面を有する各種乗物の外装パーツに貼着させるに際しては、延伸貼着加工途中で再帰反射フィルムないし再帰反射シートに破断が生じたり、あるいは基材と再帰反射フィルムないし再帰反射シートの間にエアが入り込んでシワが生じたりすると正確な再帰反射性が阻害されると共に、意匠性を害することになる。
【００１６】
そのため、本考案においては、基台上に固定した下部ハウジングと、この下部ハウジングの上部開口を覆う上下動可能な上部ハウジングとを有してなる真空圧空成形装置を用いることにより、基材の表面に再帰反射フィルム又は再帰反射シートを、その再帰反射性能を阻害しないように均一に貼着させた反射加飾成形体を得ることができた。
【考案の効果】
【００１７】
本考案に係る反射加飾成形体は、上記したように、三次元曲面を有する各種乗物の外装パーツを基材とし、当該基材の表面に再帰反射フィルム又は再帰反射シートを、その再帰反射性能を阻害しないように均一に貼付加飾してなるものであるから、如何なる方向からの光であってもこれを確実に光源方向に再帰反射させることができ、夜間あるいはトンネル内における走行時であっても視認性を高めることができる。
【図面の簡単な説明】
【００１８】
【図１】本考案に係る反射加飾成形体の一実施形態を示す概略拡大断面図である。
【図２】本考案に係る反射加飾成形体を得る真空圧空成形装置の一実施形態を示す説明図である。
【図３】図２に示す真空圧空成形装置により基材の表面に再帰反射フィルム又は再帰反射シートを貼着するときの説明図である。
【考案を実施するための形態】
【００１９】
以下、本考案の具体的構成を図示の実施形態について詳細に説明する。
【００２０】
図中１は再帰反射フィルム又は再帰反射シートを示し、当該再帰反射フィルム又は再帰反射シート１はトップフィルム２、ガラスビーズ層３、接着剤層４の多層積層構造となっている。このうちガラスビーズ層３はレンズとして機能する直径４０〜９０μの微小な高屈折ガラスビーズがバインダーとしての透光性樹脂中に均一に多数配置されている。
【００２１】
ガラスビーズ層３中に配合されたガラスビーズの一つ一つは真円球状をなしており、一種の凸レンズとして作用する。入射した光はガラスビーズを通って屈折し一点にて焦点を結ぶが、球体底部にアルミ蒸着膜のような反射被膜を形成してあるので再びガラスビーズを通って元の光源方向に反射する。したがって、フィルムないしシート面が恰も光源体のように輝き周囲に注意を喚起させることができるのである。
【００２２】
次に５は上記した再帰反射フィルム又は再帰反射シート１を適用する少なくともその一部に三次元曲面を有する各種乗物の外装パーツを示す。外装パーツ５の材質としては、特に限定されるものではないが、真空圧空成形時の加熱温度に耐え得る程度の耐熱性を有するものが好ましい。
【００２３】
たとえば、鋼板、アルミニウム板のほか、ポリカーボネート、ＡＢＳ樹脂、ポリブチレンテレフタレート樹脂等の合成樹脂材が好適に用いられる。
【００２４】
三次元曲面を有する各種乗物の外装パーツ５は、乗物の種類によって一様ではないが、各種乗物が２輪又は３輪の自転車の場合は、前・後輪フェンダー部、チェーンカバー部、タイヤホイールリム部、ペダルアーム部、ミラー背面部のいずれか１つを本考案を適用する基材に設定することができる。
【００２５】
各種乗物がスクーターの場合は、前・後輪フェンダー部、フロント・サイド・アンダー・リアカウル部、ハンドル・メーターカバー部、ミラー背面部のいずれか１つを本考案を適用する基材に設定することができる。
【００２６】
各種乗物が３輪又は４輪のバギィ車の場合は、前・後輪フェンダー部、フロント・サイド・アンダー・リアカウル部、ミラー背面部、ライトカバー部のいずれか１つを本考案を適用する基材に設定することができる。
【００２７】
各種乗物がオートバイ又はスノーバイクの場合は、前・後輪フェンダー部、フロント・アンダー・リアカウル部、サイドカバー部、ガソリンタンク部、チェーンカバー部、ミラー背面部、ライトカバー部のいずれか１つを本考案を適用する基材に設定することができる。
【００２８】
また、各種乗物が水上バイクの場合は、フロントボンネットカバー部、サイドカバー部、リアカバー部、ハンドル・メーターカバー部、前面・側面・後面バンパー部のいずれか１つを本考案を適用する基材に設定することができる。
【００２９】
さらに、各種乗物が自動車の場合は、フロントボンネットカバー部、リアトランクドア部、フロント・リアフェンダー部、乗車扉部、ピラー部、フロントグリル部、フロント・リアバンパー部、フロント・サイド・リアスポイラー部、モール部のいずれか１つを本考案を適用する基材に設定することができる。
【００３０】
本考案は、以上のように少なくともその一部に三次元曲面を有する各種乗物の外装パーツ５を基材に設定し、当該基材５の表面に再帰反射フィルム又は再帰反射シート１を、その再帰反射性能を阻害しないように均一に貼付加飾してなるものである。
【００３１】
基材５の表面に再帰反射フィルム又は再帰反射シート１を、その再帰反射性を阻害しないように貼着するには、図２に示すような真空圧空成形装置が好適に用いられる。
【００３２】
図２中の６は基台７上に固定した下部ハウジング、８は当該下部ハウジング６の上部開口を気密に覆うことができる上下動可能な上部ハウジング、９は下部ハウジング６内に配設してある成形台であり、当該成形台９は三次元曲面を有する基材５を載置するためのものであり、基台７の下部に設けてある流体圧シリンダ装置１０の昇降ロッド１１の上部に固定され、流体圧シリンダ装置１０によって上下動するようになっている。
【００３３】
また、下部ハウジング６の上フランジ部には再帰反射フィルム又は再帰反射シート１をセットするための取付手段１２を設けてある。
【００３４】
上部ハウジング８は図示しない流体圧シリンダ装置の昇降ロッド１３の下端に固定され、流体圧シリンダ装置によって上下動して、下部ハウジング６及び上部ハウジング８から構成される密閉容器の開閉を行なうようになっている。また、上部ハウジング８内の天井面には再帰反射フィルム又は再帰反射シート１を加熱するためのヒーター１４を配設してある。
【００３５】
下部ハウジング６及び上部ハウジング８にはそれぞれ空気圧ポート１５，１６が設けられており、空気圧ポート１５，１６はそれぞれ導管を介して図示しない空気圧調整手段に接続されている。
【００３６】
次に、上記真空圧空成形装置による加飾工程につき説明する。先ず、図示しない流体圧シリンダ装置の昇降ロッド１３を上昇させて、上部ハウジング８を下部ハウジング６から引き離す。次に、オープンとなった成形台９の中央部付近に外装パーツ（基材）５をセットし、下部ハウジング６の上フランジ部に設けてある取付手段１２によって再帰反射フィルム又は再帰反射シート１を気密的に固定する。なお、再帰反射フィルム又は再帰反射シート１は接着剤層４が下側、トップフィルム２が上側となるようにセットするのは勿論である。
【００３７】
次いで、昇降ロッド１３を下降させて上部ハウジング８の下端フランジ部を、下部ハウジング６の上フランジ部に密着させ下部ハウジング６と上部ハウジング８からなる密閉容器を閉じる。
【００３８】
次に、再帰反射フィルム又は再帰反射シート１によって画成された上下の室内を空気圧ポート１５，１６を介して減圧状態にして、ヒーター１４によって再帰反射フィルム又は再帰反射シート１を充分加熱する。その後、流体圧シリンダ装置１０を駆動して成形台９を上昇させ、三次元曲面を有する外装パーツ（基材）５の表面に再帰反射フィルム又は再帰反射シート１を延伸させながら圧着させる。
【００３９】
上記工程の後、空気圧ポート１６を介して上部ハウジング８内を大気圧程度に加圧する。これによって、再帰反射フィルム又は再帰反射シート１は三次元曲面を有する外装パーツ（基材）５の表面にシワを生ずることなく密着し、所期する反射加飾成形体が得られる。
【００４０】
本考案に係る反射加飾成形体は、以上のように三次元曲面を有する各種乗物の外装パーツを基材５に設定し、当該基材５の表面に再帰反射フィルム又は再帰反射シート１を、その再帰反射性能を阻害しないように均一に貼付加飾してなるものであり、反射加飾成形された基材５を各種乗物に用いることによって、如何なる方向からの光であってもこれを確実に光源方向に再帰反射させることができ、視認性が一層向上することによって、夜間あるいはトンネル内走行時における交通の安全を図ることができる。
【符号の説明】
【００４１】
１：再帰反射フィルム又は再帰反射シート
２：トップフィルム
３：ガラスビーズ層
４：接着剤層
５：外装パーツ（基材）
６：下部ハウジング
７：基台
８：上部ハウジング
９：成形台
１０：流体圧シリンダ装置
１１：昇降ロッド
１２：取付手段
１３：昇降ロッド
１４：ヒーター
１５：空気圧ポート
１６：空気圧ポート
【図１】
0003169699.tif 000003
【図２】
0003169699.tif 000004
【図３】
0003169699.tif 000005